(57)【特許請求の範囲】
【請求項１】
水中又は海中にある構造物の周囲を締切り、その内部の水又は海水を排除して、前記構造物の補強及び／又は補修作業を大気中で行う締切用止水壁体において、
前記構造物の水面下にある台座上に囲壁状に設置された止水構造の床台（１１）と、
この床台（１１）上に所定の間隔で立設された支柱（１６）を有する内部フレームと、
これらの支柱（１６）間にそれぞれ挿入又は外装される複数の分割止水プレート（１９）で構成される止水壁と、
前記床台（１１）と前記分割止水プレート（１９）間、及び前記支柱（１６）と前記分割止水プレート（１９）間の少なくとも一方を締結する締結手段（３０）と、
前記床台（１１）と前記分割止水プレート（１９）間、及び前記支柱（１６）と前記分割止水プレート（１９）間にそれぞれ介在され、水圧による外圧を受けた前記分割止水プレート（１９）により圧縮されることで止水効果を発揮する止水用のシール材（２０−１、２０−２）と
を具備することを特徴とする締切用止水壁体。
【請求項２】
前記締結手段（３０）は、ロットボルト（３１ａ）と、前記床台（１１）、前記分割止水プレート（１９）、及び前記内部フレームのいずれかに装着され、前記ロットボルト（３１ａ）の一端側の孔を回動自在に軸支する取付具（３２）と、前記ロットボルト（３１ａ）の他端側が挿脱自在に収納される溝（３６）を有する固定フランジ（３５ｃ）と、前記ロットボルト（３１ａ）の他端側を前記固定フランジ（３５ｃ）に係止するナット（３１ｂ）とを備えることを特徴とする請求項１に記載の締切用止水壁体。
【請求項３】
前記締結手段（３０）は、前記支柱（１６）に装着される締結ボルト（５４）を備え、この締結ボルト（５４）をねじ込むことで前記分割止水プレート（１９）の前記シール材（２０−１）に対向する面を締付けて固定することを特徴とする請求項１に記載の締切用止水壁体。
【請求項４】
前記締結手段（３０）は、一端側が前記床台（１１）、前記分割止水プレート（１９）、及び前記内部フレームのいずれかに装着される取付具（５０）と、この取付具（５０）に回動自在に軸支された一対の脚部（５１）と、これらの脚部（５１）を連結する連結部材（５２）と、前記連結部材（５２）にねじ込まれ、固定具（４９）を前記取付具（５０）に向かって押圧する締付ボルト（５３）とを備えることを特徴とする請求項１に記載の締切用止水壁体。
【発明の詳細な説明】
【技術分野】
【０００１】
本発明は、河川や河口の水中、海中の構造物、例えば橋梁の橋脚等の耐震補強等を行う際、水中にある橋脚の周囲を締切り、その内部の水を排除して補強及び／又は補修作業を大気中で行うための締切用止水壁体及びこれを用いた締切工法に関するものである。
【背景技術】
【０００２】
地震国である我が国では、大地震時の安全確保の観点から、既存の大型構造物の耐震補強が急務とされている。例えば鉄筋コンクリート製の橋脚の耐震補強方法としては、橋脚の周囲に鉄筋コンクリート又は鋼板等を外装して合成構造とする補強及び／又は補修方法が提案されている。
【０００３】
この種の補強及び／又は補修作業を行う現場が水上である場合、すなわち、河川や海、湖等の水面下にある台座（基礎、フーチング）に橋脚等の被作業構造物が立設されて水面上に突出している場合には、この被作業構造物の周囲に締切用止水壁体を囲壁状に形成し、この締切用止水壁体の内周側の水を排水（ドライアップ）して、被作業構造物の周囲に乾燥した作業場を形成し、補強及び／又は補修作業を行う。
【０００４】
締切用止水壁体の形成例としては、被作業構造物の周囲に多数のシートパイルを打ち込んで取り囲むものが考えられる。しかし、シートパイル間やシートパイル継施工部、シートパイルと台座間の止水性に難がある上に、水圧や波浪等による変形の問題があり、採用が困難である。しかも、橋脚のように、シートパイルを建て込むための空頭が極端に少ない場合には適用し難い。また、継施工が多い場合にはシートパイルの再使用が困難であり、不経済となる。更に、シートパイルの建て込みにバイブロハンマー等の振動機械を使用する場合には、周辺環境に悪影響を及ぼす虞がある。
【０００５】
その上、シートパイルを水底に打ち込む必要があるため、橋脚のように台座（基礎、フーチング）の上面が比較的広い面積を有している場合には、台座全体を取り囲むように広範囲に締切用止水壁体を形成しなければならず、これによりシートパイルを打ち込む本数や打ち込む範囲が増えて工数及び工期、締切のために占有する面積が増大し、上述した漏水や変形、河積を阻害する範囲の増大も顕著になるという問題があった。
【０００６】
そこで、特許文献１に開示されているように、複数に縦割りした浮力調整可能な分割函体の一方側をヒンジで開閉自在に連結したものを開閉操作して橋脚等の被作業構造物に外装して沈降し、この分割函体の下端部を台座上面に弾接させ、この部分に止水グラウトを充填して止水するようにした締切用ケーソンがある。
【０００７】
また、特許文献２に開示されているように、被作業構造物の鉛直方向及び周方向に沿って分断され、円弧状に屈曲した同一構成の複数のプレキャストパネルを、被作業構造物に円筒状に外装して沈降させ、このプレキャストパネルの下端と台座上面との間に止水モルタルを充填して止水するようにした仮締切構造体がある。
【０００８】
しかしながら、特許文献１の締切用ケーソン及び特許文献２の仮締切構造体にあっても、複数の分割函体やプレキャストパネルといった分割体の接合部、下端部、ヒンジ部の止水性が確立されていない。更に、被作業構造物の、例えば橋脚の桁下の空頭や周囲の水深が充分に確保されていない場合には、水上における運搬、設置、撤去も困難で採用が難しい。
【０００９】
また、特許文献１の締切用ケーソンは、沈設時の注排水によるコントロールの方法が確立されていない。更に、締切用ケーソンは重量物となり、製作、運搬、設置、撤去もコスト高で採用が難しい。一方、特許文献２の仮締切構造体は、着座部の設置工程が煩雑な上に、着座部を固定するコンクリートが水中に漏出して水質を汚濁する。更に、特許文献１の場合と同様に、鋼製パネルが重量物となり、製作、運搬、設置、撤去もコスト高で採用が難しい。
【００１０】
そこで本出願人は、特許文献３において、水中に建造された被作業構造物の周囲を、空頭や水深に影響されることなく、簡易な工程で、しかも高い止水性を確保して締め切ることができる締切用止水壁体及びこれを用いた締切工法を提案した。
【００１１】
この特許文献３に開示されている技術によれば、締切用止水壁体を構成する分割体を小型に形成できるため、締切用止水壁体の製作や陸上及び水上における運搬が容易になると同時に、空頭や水深に影響されることなく、簡易な工程と簡易なクレーンその他の荷役機械で締切用止水壁体を構築することができる。また、簡素な構造により、高い止水性を確保しながら、分割止水函体を水中に沈降及び浮上可能にして、水上における分割止水函体の運搬及び設置、解体、撤去を容易に行うことができる。更に、水中での設置時には締切用函体ユニットの姿勢を略水平に保ち、設置後には締切用函体ユニットの上面を水平面にして、その上に設置される締切用止水壁体の構築を容易にすることができる。
【００１２】
しかも、横方向に並ぶ複数の縦貯水系統に貯水する水の量を適宜調整することにより、水中における締切用函体ユニットの姿勢を水平に保つことができ、これにより、水中に建造された被作業構造物の周囲を、空頭や水深に影響されることなく、簡易な工程で、しかも高い止水性を確保して締切ることができる。加えて、水上における分割壁体の運搬、設置、解体、撤去を容易に行うことができる。
【００１３】
更に、複数の分割止水函体を互いに連結して被作業構造物の周囲に締切用函体ユニットを環状に構築してから、この締切用函体ユニットを水中に沈降させて台座上面に着座、設置するため、被作業構造物の周囲の空頭や水深等に影響されることなく、簡易な工程で締切用止水壁体を構築することができる。
【先行技術文献】
【特許文献】
【００１４】
【特許文献１】特許第２８２９３６２号公報
【特許文献２】特開平１１−１１７３１５号公報
【特許文献３】特開２０１１−２６８０２号公報
【発明の概要】
【発明が解決しようとする課題】
【００１５】
しかしながら、上記特許文献３の締切用止水壁体及びこれを用いた締切工法は、上述したような種々の利点を有しているものの、下記（１）〜（１１）のような点においてまだ改良の余地がある。
【００１６】
（１）特許文献３の段落［００４５］及び図２〜図４に示されているように、締切用壁体ユニット１２を構成するには、複数の分割止水プレート４３、４４を水平に配置し、これらを水密的に連結し、水深に応じて１段から数段水密的に積み重ねるため、潜水作業が多くなり、作業者の潜水時間も長く必要になる。
【００１７】
（２）段落［００４６］に記載されているように、上部接合板４６と下部接合板４７がそれぞれ板状であるため、接合面の止水性を確保するためには、接合面に止水パッキングを挿入し、ボルトにより締結して圧縮させる必要があり、水中でのボルト締結作業が多い。
【００１８】
（３）段落［００４７］及び図２に示されているように、それぞれの分割止水プレート４３、４４の、互いに対面する妻板４８同士の間がシール連結構造５３を介して水平方向に連結されるため、連結面が多く、止水パッキングの取り付けが不十分であると漏水が発生し易くなる。しかも、水中でのボルト締結作業も多い。
【００１９】
（４）段落［００４８］に記載されているように、分割止水プレート４３、４４の下部接合板４７が、最上段の締切用函体ユニット１１を構成する分割止水函体１３、１４の天板１６上の最外側部に固着された鉄骨状、且つ略Γ字形の断面形状を持つ接続部材５１の上面に、同じくシール連結構造５３を介して着脱可能に固定されるため、作業スペースが狭隘で、ボルト固定作業が煩雑となる。
【００２０】
（５）段落［００４９］に記載されているように、下の段の分割止水プレート４３、４４の上部接合板４６の上に、上の段の分割止水プレート４３、４４の下部接合板４７が重ねられ、これら上下の接合板４６、４７の間が同じくシール連結構造５３を介して連結されるため、分割止水プレートを固定するための支持材がないため、ボルト固定作業が煩雑となる。
【００２１】
（６）段落［００５０］及び図７（Ａ）、（Ｂ）に示されているように、水平方向に隣接する分割止水プレート４３（４４）の妻板４８同士の間のシール連結構造、及び最上段の締切用函体ユニット１１（接続部材５１）と１段目の締切用函体ユニット１２（分割止水プレート４３、４４の下部接合板４７）との間のシール連結構造についても同様な構造であるため、分割止水プレートを固定するための支持材がないため、ボルト固定作業が煩雑となる。
【００２２】
（７）段落［００５１］に記載されているように、接合板４６、４７、４８、５１を互いに対面させてボルト孔５４にボルト５５を挿通し、ナット５６で締結することにより、各分割止水プレート４３、４４間及び、これらと接続部材５１間が連結される。このため、連結するためのボルト数が多すぎて作業が手間取る。
【００２３】
（８）段落［００５２］及び図７（Ａ）に示されているように、互いに対面して止水を要する二面Ｓ４、Ｓ５間には、シール連結構造３０と同様に、これら二面Ｓ４、Ｓ５間の間隔を所定間隔に保つ非弾性の間隔保持部材５８と、この間隔保時部材よりも厚くて弾性があるシール材５９とが併設され、縦横方向に厚くて弾性があるシール材が並設されているため、分割止水プレートのボルト連結が手間取る。
【００２４】
（９）段落［００５３］に記載されているように、間隔保持部材５８の厚みｔ５は例えば１０ｍｍであり、シール材５９の厚みｔ２は例えば２０ｍｍでｔ５＜ｔ２である。この場合、シール材５９をｔ２−ｔ５以上圧縮しないと漏水する可能性がある。また、締切壁体ユニット１の寸法に誤差が生ずる。
【００２５】
（１０）段落［００５４］及び図７（Ｂ）に示されているように、各接合板４６、４７（４８、５１）の間をボルト５５とナット５６で締結するため、締結作業が煩雑で手間取る。
【００２６】
（１１）段落［００８８］及び図７に示されているように、連結構造５３は、ボルト５５、ナット５６により固定、止水されるため、水中でのボルト締結作業が増える。
【００２７】
上述した（１）〜（１１）に加えて、下記（１２）〜（１４）のような点にも考慮の余地がある。
【００２８】
（１２）十分な空頭が確保できクレーン等の荷役機械が使用できる場合は、浮体構造にする必要がないため、函体ユニットは必要性がない。
【００２９】
（１３）潜水作業者は、締結ボルトとナットを別々の入れ物に入れて、身体に携帯して潜水し、所定の個所で締結作業することになる。この際、先ず締結する二つのフランジ（つまりパネルを微調整して）の孔を合わせ、ボルトをボルト袋から取り出して、孔にボルトを挿入し、ナット袋からナットを取り出してボルトに嵌め、ナットを回転して締結する、という一連の作業を締結箇所毎に繰り返す必要があり、潜水作業が煩雑で潜水時間も長くなる。
【００３０】
（１４）潜水作業者の身体には、水中作業のためのウエイトの他にボルトとナットの重量が加算されるので水中での動作が緩慢になる。しかも、この種の工事は河川の下流や河口付近で行われるので、水中が濁っている事が多く、視界不良が起きやすくボルト孔の合わせ等の細かい作業は難渋する。
【００３１】
このように、本出願人の先願である特許文献３の締切用止水壁体及びこれを用いた締切工法は、潜水作業に着目すると作業が煩雑で潜水時間も長く必要であり、工期の長期化を招く一つの要因となるため、その対策が望まれている。
【００３２】
本発明は、このような事情に鑑みてなされたものであり、締切用止水壁体を簡単且つ容易に水中又は海中で組み立て、補強及び／又は補修作業の終了後に簡単に解体でき、潜水作業の容易化、単純化及び短縮化が図れ、工期を短縮することができる締切用止水壁体を提供することを目的とする。
【課題を解決するための手段】
【００３３】
上記課題を解決するために、請求項１に係る本発明の締切用止水壁体は、水中又は海中にある構造物の周囲を締切り、その内部の水又は海水を排除して、前記構造物の補強及び／又は補修作業を大気中で行う締切用止水壁体において、前記構造物の水面下にある台座上に囲壁状に設置された止水構造の床台１１と、この床台１１上に所定の間隔で立設された支柱１６を有する内部フレームと、これらの支柱１６間にそれぞれ挿入又は外装される複数の分割止水プレート１９で構成される止水壁と、前記床台１１と前記分割止水プレート１９間、及び前記支柱１６と前記分割止水プレート１９間の少なくとも一方を締結する締結手段３０と、前記床台１１と前記分割止水プレート１９間、及び前記支柱１６と前記分割止水プレート１９間にそれぞれ介在され、水圧による外圧を受けた前記分割止水プレート１９により圧縮されることで止水効果を発揮する止水用のシール材２０−１、２０−２とを具備することを特徴とする。
【００３４】
請求項２に係る発明は、請求項１に記載の締切用止水壁体において、前記締結手段３０は、ロットボルト３１ａと、前記床台１１、前記分割止水プレート１９、及び前記内部フレームのいずれかに装着され、前記ロットボルト３１ａの一端側の孔を回動自在に軸支する取付具３２と、前記ロットボルト３１ａの他端側が挿脱自在に収納される溝３６を有する固定フランジ３５ｃと、前記ロットボルト３１ａの他端側を前記固定フランジ３５ｃに係止するナット３１ｂとを備えることを特徴とする。
【００３５】
請求項３に係る発明は、請求項１に記載の締切用止水壁体において、前記締結手段３０は、前記支柱１６に装着される締結ボルト５４を備え、この締結ボルト５４をねじ込むことで前記分割止水プレート１９の前記シール材２０−１に対向する面を締付けて固定することを特徴とする。
【００３６】
請求項４に係る発明は、請求項１に記載の締切用止水壁体において、前記締結手段３０は、一端側が前記床台１１、前記分割止水プレート１９、前記内部フレームのいずれかに装着される取付具５０と、この取付具５０に回動自在に軸支された一対の脚部５１と、これらの脚部５１を連結する連結部材５２と、前記連結部材５２にねじ込まれ、固定具４９を前記取付具５０に向かって押圧する締付ボルト５３とを備えることを特徴とする。
【発明の効果】
【００３７】
請求項１乃至４に係る発明によれば、止水構造の床台と、この床台上に所定の間隔で立設された支柱を有する内部フレームと、各支柱間にそれぞれ挿入又は外装される分割止水プレートとを、締結手段で緊張締結して締切用止水壁体を構成するので、締切用止水壁体を簡単に容易に水中又は海中で組立て、補強及び／又は補修作業が終了すれば簡単に解体できる。また、内部フレームによる梁構造で水圧を支え、分割止水プレートを水圧で支柱に押し付けて固定する。しかも、締結手段は、予め床台、内部フレームあるいは分割止水プレートに装着されており、簡単な作業で緊張締結できるので、潜水作業が容易になり短くてすみ、安全性も高くなるので、本出願人の先願である特許文献３に比較して工期の短縮を図ることができる。
【図面の簡単な説明】
【００３８】
【図１】本発明の実施の形態１に係る締切用止水壁体の一部を概略的に示す斜視図である。
【図２】本発明の実施の形態１に係る締切用止水壁体を橋梁の橋脚に設置した場合の縦断面図である。
【図３】図２のIII−III線に沿う締切用止水壁体の横断面図である。
【図４】図２のIV部を拡大した締切用止水壁体の拡大縦断面図及び支柱周辺の平面図である。
【図５】図４のV矢視による締切用止水壁体の側面図及び平面図である。
【図６】図４のVI矢視による締切用止水壁体の側面図及び平面図である。
【図７】締結金具の一例を示す断面図及び平面図である。
【図８】分割止水プレートを支柱に設置する部分の拡大断面図である。
【図９】上下に隣接する分割止水プレートを緊張締結する部分の拡大断面図及び平面図である。
【図１０】上下に隣接する分割止水プレートを緊張締結する部分の他の構成例を示す拡大断面図である。
【図１１】上下に隣接する分割止水プレートを緊張締結する部分の更に他の構成例を示す拡大断面図及び平面図である。
【図１２】床台と分割止水プレートの接合部の拡大断面図である。
【図１３】床台と分割止水プレートの接合部の他の構成例を示す拡大断面図である。
【図１４】本発明の実施の形態２に係る締切用止水壁体を橋梁の橋脚に設置した場合の縦断面図である。
【図１５】図１４のIII−III線に沿う締切用止水壁体の横断面図である。
【図１６】図１５における分割止水プレートを支柱に設置する部分の拡大断面図である。
【図１７】図１５における分割止水プレートを隅支柱に設置する部分の拡大断面図である。
【図１８】分割止水プレートの隅部の他の構成例を示す拡大断面図である。
【図１９】本発明の実施の形態３に係る締切用止水壁体について説明するためのもので、締切用止水壁体の一部の断面図である。
【図２０】締結金具の他の例を示す断面図及び平面図である。
【発明を実施するための形態】
【００３９】
［実施の形態１］
以下、本発明の実施の形態について図面を参照して説明する。
【００４０】
図１は、本発明の実施の形態１に係る締切用止水壁体の一部を概略的に示す斜視図である。また、図２は、本発明の実施の形態１に係る締切用止水壁体を橋梁の橋脚に設置した場合の縦断面図であり、図３は、図２のIII−III線に沿う締切用止水壁体の横断面図である。なお、本例では締切用止水壁体の平面形状が矩形を呈す場合について説明する。
【００４１】
図２に示すように、締切用止水壁体１を用いて補強及び／又は補修作業がなされる被作業構造物としての橋脚２は、例えば鉄筋コンクリート構造であり、水面下の地盤中に埋設された複数の基礎杭３と、これらの基礎杭３の上に形成されて水面下に位置する台座としてのフーチング４と、フーチング４の上面４ａに立設されて水面上に突出する円柱、楕円柱、あるいは角柱状等のピア部分５と、このピア部分５の上端に形成された張出し梁６とを備え、張出し梁６の上面には間隔梁部材７を介して道路や鉄道等の床部分となる橋脚上部工８が載置された一般的な構造のものである。
【００４２】
締切用止水壁体１は、フーチング４の上面４ａに、ピア部分５の周囲に所定の間隔を持って矩形の囲壁状に設置され、その内側の水を排水して乾燥した作業場を形成することにより、ピア部分５の耐震補強作業や塗装作業といった各種作業を容易に実施可能にするものである。
【００４３】
上記締切用止水壁体１は、床台（又は函体）１１と、この床台１１上に設置された締切用壁体１２とで構成される。床台１１は、構造物の周囲の水中又は海中にあるピア部分５の周囲を囲むように、フーチング４の上面４ａに略水平に沈設される。この床台１１の下面には、フーチング４と床台１１との間の水密性を確保する封、いわゆる止水パッキングやシール材（以下、これらをシール材と総称する）１３、及び締切用止水壁体１を支持する支承１４が配置されている。
【００４４】
また、図２及び図３に示すように、上記締切用壁体１２とピア部分５との間（必要があれば上記床台１１とピア部分５との間も同様）にはそれぞれ、水圧を支えるための切梁１５ａ、１５ｂが設置されている。これらの切梁１５ａ、１５ｂと締切用壁体１２との間には、横桁１８ａ、１８ｂが介在されている。また、必要に応じて切梁１５ａ、１５ｂと床台１１との間にも横桁１８ａ、１８ｂを介在させても良い。さらにフーチング４の平面形状や現場施工条件により、切梁を省ける場合がある。
【００４５】
上記床台１１は、締切用止水壁体１の水平性や変形量を許容値内に収め、締切用止水壁体１全体の構造的な強度と水密性を確保するため、現場条件に応じた必要な剛性を有する構造と共に、床台１１自身が止水構造であり、桁構造や箱構造等、用途や水深、場所により適宜、その高さや幅及び板厚等を設計する。必要に応じて上記特許文献３と同様な浮体構造にしても良いのはもちろんであり、図３では複数の分割止水函体１１−１、１１−２、…を水平方向に配列し、これらを水密的に連結して床台１１を構成した例を示している。
【００４６】
一方、締切用壁体１２は、上記床台１１上に設置され、Ｈ形鋼等から成る支柱１６、隅支柱１７、及び上記横桁１８ａ、１８ｂ等の部材から構成される内部フレームと、この内部フレームに取り付けられる複数の分割止水プレート１９（１９−１〜１９−５）から成る止水壁とで形成される。すなわち、図１に示すように、床台１１の天端に支柱１６が鉛直に所定の間隔で立設され、各支柱１６間における上フランジと下フランジの間に分割止水プレート１９を挿入していくことで平面形状が略円形又は略長方形又は略小判形に組み立て、締切用壁体１２を構築する。
【００４７】
上記支柱１６は、床台１１の最上段に溶接等により直接取り付けるか、又は床台１１の最上段に接続部材を設けてボルト等により取り付けて固定する。この際、支柱１６の継手を少なくするために、空頭を考慮して可能な範囲で１本の支柱１６を長くすると良い。
【００４８】
図３に示す例では、隅支柱１７を一点鎖線で円形に囲んで示すように、２本のＨ形鋼の一方のフランジを９０°の角度で溶接、又はシール材を介して接合して形成した場合を示しており、横桁１８ｂの端部がこれらのＨ形鋼の接合部に溶接等で接続されている。
【００４９】
なお、上記支柱１６はＨ形鋼が好適であるが、締切用止水壁体１にかかる水圧等の外力を支持できれば必ずしもＨ形鋼にこだわる必要はない。また、橋脚２の高さ等の条件により支柱１６を複数段にしても良い。
【００５０】
図１に示したように、締切用壁体１２の内側の上記支柱（Ｈ形鋼等）１６のフランジ内面には止水用のシール材２０−１が装着されており、このシール材２０−１が分割止水プレート１９と支柱１６のフランジ内面との間に介在される。また、上記床台１１の上面１１ａにおける上記支柱１６のフランジに対応する位置には、床台リブ（床台ガイド板）２１が上記支柱１６のフランジ内面と面一に設けられており、この床台リブ２１の内面にも止水用のシール材２０−２が装着されている。前記シール材２０−１、２０−２は、水圧などによる外圧を受けた分割止水プレート１９により押し潰されることで、止水効果を発揮する。また、必要に応じて間隔保持部材が設けられる。
【００５１】
そして、上記分割止水プレート１９を各支柱１６間における上フランジと下フランジの間に挿入し、これら分割止水プレート１９を上記シール材２０−１、２０−２を介して締結金具（後述する）で床台１１と支柱１６にそれぞれ緊張締結する。
【００５２】
このようにして、各支柱１６間に複数の分割止水プレート１９を水平方向に配列し、これらを水密的に連結することができる。この水平方向の配列を１ユニットとし、この１ユニットを水深に応じて床台１１の上に１段〜数段、水密的に積み重ね、最上部の分割止水プレート１９（図２では１９−５）の少なくとも上部が水面上に突出するように高さを設定する。
【００５３】
その後、締切用壁体１２の内側の水又は海水を排水することで、締切用壁体１２の外側から水圧がかかり、分割止水プレート１９がシール材２０−１、２０−２を介して支柱１６と床台リブ２１に圧着されることで止水される。
【００５４】
上記のような構成の締切用壁体１２では、上記各分割止水プレート１９を各支柱１６間における上フランジと下フランジの間に挿入する際、支柱１６のＨ形鋼フランジの間に上から挿入されるので取り付けガイドとなり、分割止水プレート１９の取付作業が容易になる。
【００５５】
図４（ａ）は図２のIV部を拡大した締切用止水壁体１の拡大縦断面図、図４（ｂ）は図４（ａ）の支柱近傍の平面図である。また、図５（ａ）は図４（ａ）のV矢視による締切用止水壁体１の側面図、図５（ｂ）はその平面図、図６（ａ）は同じく図４（ａ）のVI矢視による締切用止水壁体１の側面図、図６（ｂ）は図６（ａ）のＡ−Ａ線矢示断面図、図６（ｃ）は図６（ａ）のＢ−Ｂ線矢示断面図である。
【００５６】
図４に示すように、フーチング４の上面４ａに、床台（又は函体）１１が支承１４とシール材１３を介して設置され、この床台１１の上に締切用壁体１２が設置されている。本例では床台１１上に接続部材としての架台（接続架台）２２が設けられており、この接続架台２２上に、締切用壁体１２が碇着用固定金具２３で固定されている。また、上下に隣接する分割止水プレート１９同士の接合面にシール材２６と間隔保持部材２７が設置され、このシール材２６と間隔保持部材２７を介して引寄せ用固定金具２８−１、２８−２で上下に隣接する分割止水プレート１９（１９−１〜１９−５）同士が固定される。更に、上記各分割止水プレート１９（１９−１〜１９−５）は、引寄せ用固定金具２４−１、２４−２、２４−３、２４−４、…で支柱１６に引き寄せられて固定されている。
【００５７】
図５及び図６に示すように、各分割止水プレート１９（１９−１、１９−２、…）は略長方形を呈し、鋼板や型鋼等で形成される。例えば上下面、側面、内外面の６面を鋼板により構成し、それぞれは溶接等で固着する。又は内外面のどちらか一方がない５面を鋼板により構成し、それぞれは溶接等で固着する。また、上記分割止水プレート１９（１９−１、１９−２、…）の内部は必要によりリブ等を設置して補強を行う。設計条件により内部に浮力構造を形成することもできる。
【００５８】
そして、水平方向は引寄せ用固定金具２４−１、２４−２、２４−３、２４−４、…で引き寄せて固定し、水圧で圧縮して止水する。一方、鉛直方向は、分割止水プレート１９の自重と分割止水プレート１９−１、１９−２の接合面近くに取り付けた固定具としての鋼材やフランジを引寄せ用固定金具２８−１、２８−２で引き寄せて締め付けることにより止水を行う。これにより、締結金具の本数を減じることができ、水中における作業時間（潜水時間）を削減できる。また、分割止水プレート１９−１、１９−２の１段当たりの高さを大きくして水平接合面を減じることで、漏水と水中における作業時間（潜水作業）を短縮できるが、製作、運搬、構築、解体等も考慮して設定すると良い。
【００５９】
上記シール材２６は、間隔保持部材２７の厚みをｔ５、シール材２６の厚みをｔ２としたとき、水圧等の圧縮力でｔ２−ｔ５以上の圧縮が期待できる材料を使用し、接合面に間隔保持部材２７を設置することでシール材２６が均一に圧縮されて漏水が減り、締切用壁体１２の形状寸法が確保できる。
【００６０】
なお、支柱１６と分割止水プレート１９、各分割止水プレート１９間の接合面においては、間隔保持部材２７がなくても止水できる場合は取り外しても良い。また、空頭に制限がない場合は、着座部と間隔保持部材２７を有する接続架台２２上に、クレーン等の荷役機械を使用して分割止水プレート１９を支柱１６間に順次挿入して設置することで作業性を向上できる。
【００６１】
図７（ａ）、（ｂ）はそれぞれ、上記図４乃至図６に示した床台１１と分割止水プレート１９間を緊張締結する碇着用固定金具２３、支柱１６と分割止水プレート１９間を緊張締結する引寄せ用固定金具２４−１、２４−２、２４−３、２４−４、…、及び隣接する分割止水プレート１９間をそれぞれ緊張締結する引寄せ用固定金具２８−１、２８−２の構成例を示す断面図及び平面図である。
【００６２】
本例では、これらの締結用の固定金具（以下、締結金具と称する）３０を、締結具３１、取付具３２及び固定具３５で形成している。上記締結具３１には、例えばロットボルト３１ａ、ナット３１ｂ及び座金（ワッシャー）３１ｃを用いる。ロットボルト３１ａとは、ボルトの先端に円形有孔のリング材が一体で形成されたボルトである。このロットボルト３１ａは、鋼材、ステンレス、鋳鋼、ガラス繊維補強プラスチック、炭素繊維とプラスチックの組み合わせ等、種々の材質ものが適用できる。また、リング材の形状としては、ドーナッツ状、矩形状、馬蹄形等を問わない。
【００６３】
取付具３２は、このロットボルト３１ａを分割止水プレート１９や床台１１及び支柱１６に取り付けるものである。この取付具３２は、取付プレート３３ａと、この取付プレート３３ａから突設された軸受け３３ｂと、この軸受け３３ｂに設けられた回転輪（中空円筒形の金物）３３ｃに挿入された支持軸（例えばボルト３４ａとナット３４ｂ）３３ｄとで構成されている。上記取付プレート３３ａと軸受け３３ｂの厚みは、ロットボルト３１ａとナット３１ｂの締付け力により決定され、必要に応じて補強リブ等を設けることがある。
【００６４】
上記ロットボルト３１ａは、一端側の孔が支持軸３３ｄで回動自在に軸支される。このロットボルト３１ａの他端側には、座金３１ｃを介してナット３１ｂが予めねじ込まれている。そして、ロットボルト３１ａを取付プレート３３ａ側に倒伏させておき、締結時に起立させて上記床台１１、上記分割止水プレート１９、あるいは内部フレームの対応する位置に設けられた固定具（図示せず）に係止し、ナット３１ｂを座金３１ｃを介して締め付け方向にねじ込むことで緊張締結するようになっている。
【００６５】
図８は、分割止水プレート１９を支柱１６に設置する部分（引寄せ用固定金具２４−１、２４−２、２４−３、２４−４、…の周辺に対応する）の拡大断面図であり、図７に示した締結金具３０を用いて分割止水プレート１９を支柱１６に設置した状態を示している。本例では、固定具３５を支柱１６の一方のフランジに設置した固定プレート３５ａと、この固定プレート３５ａを補強する補強プレート３５ｂと、ロットボルト３１ａを起立状態で固定する固定フランジ３５ｃとで構成している。この固定フランジ３５ｃには、ロットボルト３１ａの他端側が挿脱自在に収納される例えば半長円形の溝３６が形成されている。そして、ロットボルト３１ａを倒伏した状態から回動させて起立させ、固定フランジ３５ｃの溝３６に嵌め込み、ナット３１ｂを座金３１ｃを介して締め付けようにねじ込むことで緊張締結する。したがって、従来のものに比べ作業性が格段に良く、特に水中での作業に好適である。
【００６６】
図９（ａ）、（ｂ）はそれぞれ、上下に隣接する分割止水プレート１９−１、１９−２を緊張締結する部分（引寄せ用固定金具２８−１、２８−２の周辺に対応する）の拡大断面図及び平面図である。本例では、分割止水プレート１９−１、１９−２の両側面であって、下部の分割止水プレート１９−１の上端付近に締結金具３０−１、３０−２を取り付けている。そして、下部の分割止水プレート１９−１の上端と上部の分割止水プレート１９−２の下端に、上記締結金具３０−１、３０−２のロットボルト３１ａ−１、３０ａ−２を受入れて固定する固定具として固定フランジ３７−１、３７−２を取り付ける。
【００６７】
すなわち、下部の分割止水プレート１９−１にロットボルト３１ａ−１、３１ａ−２の一端が軸支されて装着されており、上部の分割止水プレート１９−２と下部の分割止水プレート１９−１との接合部に固定フランジ３７−１、３７−２が設けられている。この固定フランジ３７−１、３７−２には、図９（ｂ）に示すようにロットボルト３１ａ−１、３１ａ−２を受入れる半長円形の溝３８−１、３８−２が設けられており、ロットボルト３１ａ−１、３１ａ−２の他端側が挿脱自在に収容される。
【００６８】
そして、上部及び下部の分割止水プレート１９−１、１９−２が適位置に設置されたら、下方向に倒伏状態にあるロットボルト３１ａ−１、３１ａ−２を回動させて上方向に倒伏させ、上部の分割止水プレート１９−２の固定フランジの半長円形の溝３８−１、３８−２に嵌め、予めねじ込んでおいたナット３１ｂ−１、３１ｂ−２で座金３１ｃ−１、３１ｃ−２を介して締め付ける。この際、上部及び下部の分割止水プレート１９−１、１９−２の位置出しを、固定フランジ３７−１、３７−２で行うことができる。
【００６９】
図１０は、上下に隣接する分割止水プレート１９−１、１９−２を緊張締結する部分の他の構成例を示す拡大断面図である。本例は、分割止水プレート１９−１、１９−２の接合面が互いに嵌合するように、いわゆる相欠矧ぎにし、接合面にシール材２６と間隔保持部材２７を介在させたものである。締結金具３０−１、３０−２の構成は、図９と同様であるので同一部分に同じ符号を付してその詳細な説明は省略する。
【００７０】
このような構成によれば、図９に示した構造に比べて水圧等の外圧を利用して止水性を高めることができる。すなわち、水圧等の外圧が分割止水プレート１９−２にかかるとシール材２６が押し潰されることで止水性が発揮されるので好適である。相欠矧ぎに限らず他の嵌合構造等であっても良いのはもちろんである。
【００７１】
図１１（ａ）、（ｂ）はそれぞれ、上下に隣接する分割止水プレート１９−１、１９−２を緊張締結する部分の更に他の構成例を示す拡大断面図及び平面図である。上記図９に示した例ではロットボルト３１ａ−１、３１ａ−２が起立、倒伏状態に回動したのに対し、分割止水プレート１９−１、１９−２の表面に沿って回動するようになっている。換言すれば、図９に示した例ではロットボルト３１ａ−１、３１ａ−２の回転軸が分割止水プレート１９−１、１９−２の表面と平行な方向であるのに対し、分割止水プレート１９−１、１９−２の表面に垂直な方向になっている。このような構成であっても、回動方向が異なるのみであり、図９に示した例と実質的に同様な作用効果が得られる。
【００７２】
なお、潜水作業でのナット３１ｂ−１、３１ｂ−２の締め付けを考えると、図９乃至図１１に示したように、ロットボルト３１ａ−１、３１ａ−２の回動方向は上向き又は水平方向が好適であるが、下向きに回動させて締結することもできる。
【００７３】
図１２は、床台１１と分割止水プレート１９−１の接合部（碇着用固定金具２３−１、２３−２の周辺に対応する）の拡大断面図である。本例では、接続架台２２を使用せずに床台１１の上面１１ａに直接分割止水プレート１９−１を設置する場合を示しているが、接続架台２２上に分割止水プレート１９−１を設置する場合も同様である。すなわち、水平碇着用固定金具として働く締結金具３０を最下部の分割止水プレート１９−１の下端付近に倒伏自在に軸支して取り付ける。
【００７４】
一方、床台１１の上面１１ａには、例えば半長円形の溝３６が形成された固定具３９を溶接やボルト等で固定する。そして、上記固定具３９に締結金具３０としてのロットボルト３１ａ−１を溝３６内に挿入して係止し、予め装着しておいたナット３１ｂ−１を座金３１ｃ−１を介してねじ込むことで分割止水プレート１９−１を床台ガイド板２１に引き寄せて固定する。
【００７５】
また、分割止水プレート１９−１を碇着する取付具３２を、床台１１の上面１１ａにおける外水側に溶接等で固定し、対応する最下部の分割止水プレート１９−１に固定具３５を取り付ける。この固定具３５としては、取付具３２に軸支されたロットボルト３１ａ−２を受入れる固定フランジを用いている。そして、上記固定具３５に締結金具３０としてのロットボルト３１ａ−２を溝内に挿入して係止し、予め装着しておいたナット３１ｂ−２を座金３１ｃ−２を介してねじ込むことで分割止水プレート１９−１を床台１１に引き寄せて固定する。
【００７６】
図１３は、床台１１と分割止水プレート１９−１の接合部の他の構成例を示す拡大断面図である。本例では、最下部の分割止水プレート１９−１を碇着用固定金具２３−１、２３−２として働く締結金具３０を使って床台１１上に固定するもので、床台１１に設置された分割止水プレート１９−１の両側に締結金具３０を取り付けている。
【００７７】
分割止水プレート１９−１を碇着する取付具３２は床台１１に溶接等で固定し、対応する最下部の分割止水プレート１９−１に固定具３５を取り付けている。この固定具３５としては、取付具３２に軸支されたロットボルト３１ａを受入れる固定フランジを用いている。他の構成は図１２と同様である。
【００７８】
上記のような構成の締切用止水壁体では、止水構造の床台１１と、この床台１１上に所定の間隔で立設された支柱１６を有する内部フレームと、各支柱１６間にそれぞれ挿入される分割止水プレート１９−１とを、締結金具３０で緊張締結して締切用止水壁体１を構成するので、締切用止水壁体１を簡単に容易に水中又は海中で組立て、補強及び／又は補修作業が終了すれば簡単に解体できる。また、内部フレームによる梁構造で水圧を支え、分割止水プレート１９−１を水圧で支柱に押し付けて固定する。しかも、締結金具３０は取付具３２、締結具３１及び固定具３５で構成され、予め床台１１、内部フレームあるいは分割止水プレート１９−１に装着されており、簡単な作業で緊張締結できるので、潜水作業が容易になり短くてすみ、安全性も高くなるので、本出願人の先願である特許文献３に比較して工期の短縮を図ることができる。
【００７９】
次に、上記締切用止水壁体１を用いた締切工法の作業手順の一例を概略的に説明する。床台（又は函体）１１、内部フレーム及び分割止水プレート１９は、工場（被作業構造物である橋脚２の近傍の陸地等でも良い）において予め製造する。
【００８０】
そして、橋脚２のフーチング４が水底で地盤中に埋没している場合には、少なくともフーチング４の上面４ａが水中に露呈するまで地盤を掘削する。
【００８１】
次に、床台１１を組立て枠型に形成する。そして、フーチング４の上面４ａに床台１１を水平に沈設する。ここまでの工程は、本出願人の先願である特許文献３と同様にすることもできる。
【００８２】
その後、沈設した床台１１の上面１１ａ、あるいはこの床台１１上に設置した接続架台２２上に溶接やボルト締結等の方法で支柱１６を立設する。この際、支柱１６は橋脚２の高さ等の条件により複数段にしても良い。引き続き、横桁１８ａ、１８ｂを設置した後、切梁１５ａ、１５ｂを設置する。この横桁１８ａ、１８ｂ及び切梁１５ａ、１５ｂの設置は、潮流等の条件により内部水を排水するまでに行っても良い。
【００８３】
次に、各支柱１６間に分割止水プレート１９を挿入する。そして、上下段の分割止水プレート１９−１、１９−２、…を重ねるごとに、上下を締結するための引寄せ用固定金具２８−１、２８−２としての締結金具３０を締めて上下の分割止水プレート１９−１、１９−２、…を締結する。
【００８４】
その後、碇着用固定金具２３−１としての締結金具３０を締込み、最下段の分割止水プレート１９−１は床台リブ２１に密着させて固定する。次に、支柱１６及び隅支柱１７と分割止水プレート１９−１の引寄せ固定金具２４−１、２４−２、２４−３としての締結金具３０を締め付けて水密性を確保する。又、引寄せ用固定金具２８−１、２８−２と碇着用固定金具２３および引寄せ固定金具２４−１、２４−２、２４−３の前記に示した締結作業順序は、現場条件により適宜変更することや各々を徐々に締付けるなど繰り返し行うことでも良い。
【００８５】
次に、分割止水プレート１９を水平に微移動させて支柱１６に密着させる。各分割止水プレート１９間は間隔保持部材２７及びシール材２６で水密性を確保する。
【００８６】
なお、最下段の碇着用固定金具２３−１は特別に必要とはしないが、引寄せ用固定金具２４−１、２４−２、２４−３のみで締め込むよりも安全、確実で好適である。
【００８７】
次に、締切用止水壁体１の内部の水又は海水を排水する。内部の水を排除すると、外水圧により分割止水プレート１９が支柱１６に押し付けられ、シール材２０−１、２０−２により水密性が確保される。
【００８８】
最後に、外水圧により分割止水プレート１９が支柱１６に押し付けられて変形するので、引寄せ用固定金具２４−１、２４−２、２４−３、２４−４、…のナットを再度締込む。
【００８９】
本発明に係る締切工法によれば、締結金具３０のロットボルト３１ａを倒伏させた状態で分割止水プレート１９を建て込むことができるので、水中での分割止水プレート１９の設置が容易となる。このように特殊な締結金具（分割止水プレートの固定金具）で締結することにより、ボルト孔合わせ、ボルト挿入、ナット装着、ナット締付け等というボルト、ナットの締結作業を無くし、ロットボルト３１ａのナット３１ｂを回動させて固定具に締結するという単純作業化できるので、水中における潜水作業時間を短くできる。このように、作業内容が変わり作業が単純化され、作業の安全性の向上や工期短縮も期待できる。
【００９０】
また、潜水作業者は、ボルトとナットを携帯することなく、ナット回転治具のみ携帯すれば良く、先願である特許文献３の技術に比べて身軽となり作業性が一段と向上する。これによって、工期短縮に貢献できる。しかも、床台１１に止水壁を固定する時にも、この締結金具を使用するので、締結や水平引寄せの調整作業が簡単になる。
【００９１】
［実施の形態２］
図１４は、本発明の実施の形態２に係る締切用止水壁体を橋梁の橋脚に設置した場合の縦断面図であり、図１５は、図１４のIII−III線に沿う締切用止水壁体１の他の構成例を示す横断面図である。本実施の形態２が上述した実施の形態１と異なるのは、分割止水プレート１９を支柱（Ｈ形鋼等）１６の外水側に外装して設置する点である。図１４及び図１５において、図２及び図３と同一構成部には同じ符号を付してその詳細な説明は省略する。
【００９２】
すなわち、図１４及び図１５に示すように、締切用壁体１２とピア部分５との間にそれぞれ、水圧を支えるための切梁１５ａ、１５ｂが横桁１８ａ、１８ｂを介在して設置されている。また、必要に応じて床台１１とピア部分５との間にも切梁１５ａ、１５ｂを設置しても良い。上記床台１１は止水構造であり、実施の形態１と同様に桁構造や箱構造等、用途や水深、場所により適宜設計変更できる。
【００９３】
締切用壁体１２の内側の上記支柱（Ｈ形鋼等）１６の外水側のフランジ外面には、止水用のシール材２０−１が装着されており、分割止水プレート１９と支柱１６のフランジ外面との間に介在されている。また、上記床台１１の上面１１ａにおける上記支柱１６のフランジ外面に対応する位置には、床台リブ（床台ガイド板）が上記支柱１６のフランジ外面と面一に設けられており、この床台リブの内面にも止水用のシール材が装着されている。これらの分割止水プレート１９で形成される止水壁は、支柱１６を支点とする連続梁構造にすることにより断面力とたわみを低減して材料を節約することができる。しかし、水深が浅い場合や、ピア部分５の面積が小さい場合等、条件によっては２つの支柱１６に支持された単純梁構造としても良い。
【００９４】
そして、上記分割止水プレート１９を、上記シール材２０−１を介して上述した締結金具３０で床台１１と支柱１６に緊張締結し、水圧で圧縮することで床台１１又は支柱１６と分割止水プレート１９間の止水を行う。
【００９５】
すなわち、分割止水プレート１９を各支柱１６間における外水側に配置し、分割止水プレート１９を締結金具で床台１１と支柱１６に緊張締結して外装した後、締切用壁体１２の内側の水又は海水を排水することで、締切用壁体１２の外側から水圧がかかり、支柱１６と床台リブに分割止水プレート１９が圧着される。
【００９６】
このようにして、各支柱１６間に複数の分割止水プレート１９を水平方向に配列し、これらを水密的に連結することができる。この水平方向の配列を一つのユニットとし、このユニットを水深に応じて床台１１の上に１段〜数段、水密的に積み重ね、最上部の分割止水プレート１９の少なくとも上部が水面上に突出するように高さを設定する。
【００９７】
図１６は、分割止水プレート１９を支柱１６に設置する部分の水平方向に切断した拡大断面図である。Ｈ形鋼等からなる支柱１６の外水側のフランジ外面に、縦ガイド板４５を介在して水平方向に隣接する２つの分割止水プレート１９が設置され、締結金具３０によって支柱１６に緊張締結して外装される。上記分割止水プレート１９と支柱１６との間にはシール材２０−１、２０−１が介在されている。上記締結金具３０には、図７に示したロットボルトを用い、支柱１６のフランジ外面に溶接等で設置した固定フランジ４６に締結固定する。この固定フランジ４６には、半長円形の溝が設けられており、ロットボルトの他端側が挿脱自在に収容されるようになっている。ここで、ロットボルトを固定フランジ４６を設けずに支柱１６のフランジに直接固定しても良い。
【００９８】
図１７は、分割止水プレート１９を隅支柱１７に設置する部分の拡大断面図である。隅支柱１７は、本例では中空で角柱状の鋼材によって形成されており、分割止水プレート１９の接合部にはガイド板（隅ガイド）４０が設けられ、固定フランジ４２−１、４２−２は隅支柱１７の角部近傍に設けられている。上記分割止水プレート１９と隅支柱１７との間にはシール材２０−１、２０−１が介在されている。
【００９９】
そして、ロットボルト３１ａ−１、３１ａ−２が分割止水プレート１９側に倒伏した状態から回動させて起立させ、固定フランジ４２−１、４２−２の溝４３−１、４３−２に嵌め込み、予め装着しておいたナット３１ｂ−１、３１ｂ−２を座金３１ｃ−１、３１ｃ−２を介して締め付ける方向にねじ込むことで緊張締結する。
【０１００】
分割止水プレート１９を隅支柱１７に固定する固定金具であるロットボルト３１ａ−１の先端やナット３１ｂ−１と、ロットボルト３１ａ−２の先端やナット３１ｂ−２が干渉するような場合には、鉛直軸に対して同一平面には設置しないようにする必要がある。しかし、干渉しない場合には同一平面にあっても構わない。
【０１０１】
また、平面形状が略矩形を示す分割止水プレート１９に対し、図１８（ａ）に示すように隅部の分割止水プレート１９ａや図１８（ｂ）に示すように円弧を含むなど特殊形状の分割止水プレート１９ｂの使用により、隅支柱１７を用いる事無く支柱はすべて支柱１６を用いて組み立てるのも好適であり、実施の形態１や実施の形態３にも適用できる。
【０１０２】
止水壁は複数の支柱１６間に掛け渡すことで、連続梁として応力計算が可能となり、部材を節約できるので資源の有効活用となる。もちろん、支柱１６間の梁構造も可能である。加えて、水面から橋脚の張出梁までの空頭が小さい場合でも、分割止水プレート１９は略水平方向から設置することができるので、作業が可能になる。
【０１０３】
締切用止水壁体１を構成する分割止水プレート１９を小型に形成できるため、この部材の陸上又は水上における運搬が容易になると同時に、橋脚等の空頭が少ない場合や、水深が浅い場合でも、沈設位置まで容易に運搬することができ、これにより、簡易な工程と、簡易なクレーンその他の荷役機械で締切用止水壁体１を構築することができ、その工期も著しく短縮することができる。
【０１０４】
［実施の形態３］
図１９は、本発明の実施の形態３に係る締切用止水壁体１の一部の断面図である。本実施の形態３では、分割止水プレート１９を、上記実施の形態１と同様にＨ形鋼等から成る支柱１６の上下フランジ間に設置し、このＨ形鋼のフランジに設けた雌ネジのネジ切り孔、又はフランジに設けた孔にナットを締結したボルト孔を取付具として利用して締結する。他の基本的な構成並びに工法は実施の形態１と同様であるので、詳細な説明は省略する。
【０１０５】
すなわち、支柱１６の一方のフランジの内面に、シール材２０−１を介して分割止水プレート１９の端部が挿入されており、この分割止水プレート１９のシール材２０−１に対向する面を締結ボルト５４で締付ける。締結ボルト５４をネジ切り孔又はナットを締結したボルト孔にねじ込むことで分割止水プレート１９をシール材２０−１を圧縮する方向に押し付けて固定する。なお、４７は分割止水プレート１９の補強リブである。
【０１０６】
このような構成であっても、実施の形態１と同様な作用効果が得られる。また、Ｈ形鋼のフランジに設けた雌ネジのネジ切り孔又はナットを締結したボルト孔に、予め締結ボルト５４をねじ込んで装着しておくことで、潜水作業者は締結ボルトとナットを携帯する必要がなく、締結作業だけで済む。
【０１０７】
上記実施の形態１〜３では、締結金具にロットボルトやボルトを用いる場合を例に取って説明したが、締結を目的とする部材であればロットボルトやボルトに限られるものではない。図２０（ａ）、（ｂ）は、締結金具の他の構成例を示す断面図及び平面図である。この締結金具３０は、締結具４８、固定具４９及び取付具５０で構成される。締結具４８は一端側が取付具５０に回動自在に軸支された一対の脚部５１と、これらの脚部５１を連結する連結部材５２と、この連結部材５２にねじ込まれ、固定具４９を取付具５０に向かって押圧する締付ボルト５３とで構成される。
【０１０８】
上記のような構成において、締付ボルト５３を固定具４９に向かって締め込むと、連結部材５２を介して脚部５１、及び取付具５０が引き寄せられる。これによって、ロットボルトと同様な締結ができる。また他の締結手段として、旅行鞄に用いられる回動自在に軸支された締結具と固定具及び取付具が鞄本体と一体化されているバックルのような金具や、多く考案されている簡易継手を用いることも好適である。
【０１０９】
なお、締切用止水壁体及びこれを構成する各部分の形状は、上記実施の形態１〜３に記載されたものに限らず、異なる形状にしても良い。また、本発明に係る締切用止水壁体及びこれを用いた締切工法は、橋脚のピア部分に限らず、水中或いは地下に建造された他の構造物に適用しても良いのはもちろんである。
【符号の説明】
【０１１０】
１    締切用止水壁体
２    橋脚
３    基礎杭
４    フーチング
４ａ    フーチングの上面
５    ピア部分
６    張出し梁
７    間隔梁部材
８    橋脚上部工
１１    床台（又は函体）
１１−１、１１−２、…    分割止水函体
１１ａ    床台の上面
１２    締切用壁体
１３    シール材
１４    支承
１５ａ、１５ｂ    切梁
１６    支柱（Ｈ形鋼等）
１７    隅支柱
１８ａ、１８ｂ    横桁
１９、１９−１、１９−２、…    分割止水プレート
１９ａ    隅部の分割止水プレート
１９ｂ    円弧を含むなど特殊形状の分割止水プレート
２０−１、２０−２    シール材
２１    床台リブ（床台ガイド板）
２２    接続架台
２３−１、２３−２    碇着用固定金具（締結手段）
２４−１、２４−２、２４−３、２４−４、…    引寄せ用固定金具（締結手段）
２６    シール材
２７    間隔保持部材
２８−１、２８−２    引寄せ用固定金具（締結手段）
３０、３０−１、３０−２    締結金具（締結手段）
３１    締結具
３１ａ、３１ａ−１、３１ａ−２    ロットボルト
３１ｂ、３１ｂ−１、３１ｂ−２、３１ｂ−３、３１ｂ−４    ナット
３１ｃ、３１ｃ−１、３１ｃ−２、３１ｃ−３、３１ｃ−４    座金（ワッシャー）
３２    取付具
３３ａ    取付プレート
３３ｂ    軸受け
３３ｃ    回転輪（中空円筒形の金物）
３３ｄ    支持軸
３４ａ    ボルト
３４ｂ    ナット
３５    固定具
３５ａ    固定プレート
３５ｂ    補強プレート
３５ｃ    固定フランジ
３６    溝
３７−１、３７−２    固定フランジ
３８−１、３８−２    半長円形の溝
３９    固定具
４０    ガイド板（隅ガイド）
４１−１、４１−２    固定具
４２−１、４２−２    固定フランジ
４３−１、４３−２    溝
４４−１、４４−２    取付具
４５    縦ガイド板
４６    固定フランジ
４７    補強リブ
４８    締結具
４９    固定具
５０    取付具
５１    脚部
５２    連結部材
５３    締付ボルト
５４    締結ボルト
【図１】
0005264978.tif 000002
【図２】
0005264978.tif 000003
【図３】
0005264978.tif 000004
【図４】
0005264978.tif 000005
【図５】
0005264978.tif 000006
【図６】
0005264978.tif 000007
【図７】
0005264978.tif 000008
【図８】
0005264978.tif 000009
【図９】
0005264978.tif 000010
【図１０】
0005264978.tif 000011
【図１１】
0005264978.tif 000012
【図１２】
0005264978.tif 000013
【図１３】
0005264978.tif 000014
【図１４】
0005264978.tif 000015
【図１５】
0005264978.tif 000016
【図１６】
0005264978.tif 000017
【図１７】
0005264978.tif 000018
【図１８】
0005264978.tif 000019
【図１９】
0005264978.tif 000020
【図２０】
0005264978.tif 000021